(57)【要約】【課題】歩行式の追肥機によって肥料を断続的に散布できるようにする。【解決手段】追肥機１０は、フレーム１と、車軸２を介してフレーム１を支持する車輪３と、車軸２に取り付けられたハンドル９とを含み、フレーム１は、車輪３の前方に設けられた鋤板７と、車輪３の後方に設けられた覆土板８と、車輪３の上方に設けられた肥料格納容器５と、肥料格納容器５から車輪３の接地面３ａの直上までの肥料供給路６とを含み、車輪３には接地面３ａに沿って複数の凹部３ｂが形成され、肥料供給路６は接地面３ａの直上で開口し、開口６ａの直下にある凹部３ｂに肥料１００を供給するように構成されている。【選択図】図１
2019187327.tif 000002
【特許請求の範囲】
【請求項１】
本体と、
車軸を介して前記本体を支持する車輪と、
前記車軸に取り付けられたハンドルとを含み、
前記本体は、
前記車輪の前方に設けられた鋤板と、
前記車輪の後方に設けられた覆土板と、
前記車輪の上方に設けられた肥料格納容器と、
前記肥料格納容器から前記車輪の接地面の直上までの肥料供給路とを含み、
前記車輪には接地面に沿って複数の凹部が形成され、前記肥料供給路は前記接地面の直上で開口し、当該開口の直下にある前記凹部に肥料を供給するように構成された追肥機。
【請求項２】
前記肥料供給路の開口は、当該開口の直下に前記凹部がないと肥料の供給を抑制するように構成された請求項１に記載の追肥機。
【請求項３】
前記肥料供給路の開口と前記接地面の間には、所定距離の間隙が設けられた請求項１又は２に記載の追肥機。
【請求項４】
前記車輪は前記本体の移動に応じて回転し、前記肥料供給路は前記車輪の回転によって開口の直下に到来した前記凹部に肥料を供給するように構成された請求項１から３のいずれか一項に記載の追肥機。
【請求項５】
前記車輪は前記本体の移動に応じて回転し、前記凹部に供給された肥料は前記車輪の回転によって前記凹部から次第に落下する請求項４に記載の追肥機。
【請求項６】
前記本体の移動に応じて、前記鋤板は前記車輪の前方の地面に溝を形成し、前記凹部に供給された肥料は前記凹部から前記溝に落下し、前記覆土板は前記車輪の後方の地面の溝を覆土する請求項５に記載の追肥機。
【発明の詳細な説明】
【技術分野】
【０００１】
本発明は、圃場に植栽された作物に追肥する追肥機に関する。
【背景技術】
【０００２】
従来、圃場において作物を植栽する畝の側部に、畝に沿って溝を掘り、肥料を排出管から溝に断続的に散布し、肥料の上にさらに土で覆う農業機械が提供されている（特許文献１を参照）。この農業機械は、肥料の運搬が容易となるように車輪を備え、エンジン等を動力としてもよく、人が手押しで操作する歩行型でもよいと記載されている。
【先行技術文献】
【特許文献】
【０００３】
【特許文献１】特開２０１３−４６６０９号公報
【発明の概要】
【発明が解決しようとする課題】
【０００４】
しかしながら、前記農業機械においては、肥料を断続的に供給するために、排出管を通じた肥料の流れを制御する別段の機構を備える必要があった。このような機構は必然的に構成が複雑になって大型化し、人が手押しで操作するような追肥機に組み込むことは現実的でなかった。
【０００５】
本発明は、上述の実情に鑑みて提案されるものであって、地面に溝を掘り、肥料を溝に断続的に散布し、肥料の上をさらに土で覆うような追肥機であって、手押しで操作する歩行型の追肥機を提供することを目的とする。
【課題を解決するための手段】
【０００６】
上述の課題を解決するために、本発明に係る追肥機は、本体と、車軸を介して本体を支持する車輪と、車軸に取り付けられたハンドルとを含み、本体は、車輪の前方に設けられた鋤板と、車輪の後方に設けられた覆土板と、車輪の上方に設けられた肥料格納容器と、肥料格納容器から車輪の接地面の直上までの肥料供給路とを含み、車輪には接地面に沿って複数の凹部が形成され、肥料供給路は接地面の直上で開口し、当該開口の直下にある凹部に肥料を供給するように構成されている。
【０００７】
肥料供給路の開口は、当該開口の直下に凹部がないと肥料の供給を抑制するように構成されていてもよい。肥料供給路の開口と接地面の間には、所定距離の間隙が設けられていてもよい。
【０００８】
車輪は本体の移動に応じて回転し、肥料供給路は車輪の回転によって開口の直下に到来した凹部に肥料を供給するように構成されていてもよい。車輪は本体の移動に応じて回転し、凹部に供給された肥料は車輪の回転によって凹部から次第に落下してもよい。
【０００９】
本体の移動に応じて、鋤板は車輪の前方の地面に溝を形成し、凹部に供給された肥料は凹部から溝に落下し、覆土板は車輪の後方の地面の溝を覆土してもよい。
【発明の効果】
【００１０】
本発明によると、手押しで操作する歩行型の追肥機によって、地面に溝を掘り、肥料を溝に断続的に散布し、肥料の上をさらに土で覆うようにすることができる。
【図面の簡単な説明】
【００１１】
【図１】本実施の形態の追肥機の概略的な構成を示す斜視図である。
【図２】本実施の形態の追肥機の動作を説明するための模式図である。
【図３】圃場において作物に追肥を施す態様を示す図である。
【発明を実施するための形態】
【００１２】
以下、本実施の形態の追肥機について、図面を参照して詳細に説明する。図１は、本実施の形態の追肥機の概略的な構成を示す斜視図である。
【００１３】
本実施の形態の追肥機１０は、追肥機１０の本体を構成するフレーム１、及び車軸２を介してフレーム１を支持する車輪３を有している。フレーム１は、車輪３によって移動する進行方向を長手方向として形成され、車軸２はフレーム１の長手方向の略中央に位置している。車軸２は、フレーム１の短手方向に延び、フレーム１の略中央に１つの車輪３を回転可能に支持している。フレーム１は、鋼板などの金属で構成してもよく、プラスチック、ＦＲＰ又は木材などで構成してもよい。特記する場合を除いて、追肥機１０の他の部材も同様である。車輪３は、ゴムによって構成してもよい。
【００１４】
追肥機１０の車軸２には、作業者がフレーム１を手押しで操作するためのハンドル９が取り付けられている。ハンドル９の上端には、作業者が手で持つための持ち手９ａが形成されている。本実施の形態の追肥機１０は、作業者がハンドル９を手押しで操作する歩行型である。作業者がハンドル９を手押しすると、作業者からフレーム１に向かう方向を進行方向として、追肥機１０が移動することができる。
【００１５】
フレーム１の底部において、進行方向について前方に、車輪３から所定距離だけ離れて、鋤板７が設けられている。鋤板７は、地面に所定幅で所定深さの溝を形成するように、進行方向に向けて２枚の板が合流したＶ字状の歯によって構成されている。鋤板７は、フレーム１に対して鋤板支持部材を介して設けられていてもよい。鋤板７は、鋼材によって構成してもよい。
【００１６】
また、フレーム１の底部において、進行方向について後方に、車輪３から所定距離だけ離れて、鋤板７によって形成された溝を土で覆うための覆土板８が設けられている。覆土板８は、進行方向に向けて２枚の板が分かれたＶ字状の歯によって形成されている。覆土板８は、フレーム１に対して覆土板支持部材を介して設けられていてもよい。覆土板８は、鋼材によって構成してもよい。
【００１７】
フレーム１の上部には車輪３を跨ぐように架台４が形成され、架台４は車輪３の上方に肥料格納容器５を支持している。肥料格納容器５は、内部に所定容量の肥料１００を格納することができ、格納した肥料１００が底部の通孔から次第に落下して排出されるように構成されている。肥料格納容器５の底部の通孔から車輪３の直上まで肥料供給路６が設けられ、肥料格納容器５の通孔から排出された肥料１００が車輪３の直上まで落下できるように構成されている。
【００１８】
本実施の形態の追肥機１０においては、車輪３の接地面３ａには、接地面３ａに沿って周方向に複数の凹部３ｂが形成されている。凹部３ｂは、接地面３ａに沿って断続的に形成されている。ここで、断続的とは、一方向について連続した部分と途切れた部分とが交互に繰り返す状態をいう。凹部３ｂは、接地面３ａに沿って所定間隔及び所定深さで形成されてもよい。
【００１９】
本実施の形態の追肥機１０においては、肥料供給路６は車輪３の接地面３ａの直上に、接地面３ａから所定距離の間隙を挟んで開口６ａを有している。肥料供給路６は、開口６ａの直下に凹部３ｂがあるときには肥料１００を落下させ、凹部３ｂを充填するように肥料１００を供給する。開口の直下に凹部３ｂがなく接地面３ａがあるときには、開口６ａの直下にある接地面３ａによって肥料１００の落下が遮られ、肥料供給路６の開口６ａからの肥料１００の供給は抑制される。
【００２０】
図２は、本実施の形態の追肥機１０の動作を説明するための模式図である。図２（ａ）は追肥機１０の側面図であり、図２（ｂ）は追肥機１０の底面図である。
【００２１】
追肥機１０を使用して施肥を開始する前に、予め追肥機１０の肥料格納容器５に肥料１００が格納される。肥料１００は、顆粒状やペレット状など、粒径が所定範囲にあるものでもよい。肥料格納容器５に格納された肥料１００は、肥料格納容器５の底部の通孔から落下し、接続された肥料供給路６に供給される。
【００２２】
追肥機１０を使用するときには、作業者がハンドル９の持ち手９ａを手で持って、持ち手９ａから車軸２に向けてフレーム１を押し、作業者からフレーム１に向かう進行方向にフレーム１を移動させる。フレーム１が進行方向に移動すると、進行方向について、車輪３の前方に設けられた鋤板７によって地面２００に所定幅及び所定深さの溝が形成される。
【００２３】
追肥機１０の車輪３は、接地面３ａが地面２００に接し、フレーム１の移動に応じて回転する。肥料供給路６は車輪３の接地面３ａの直上に所定距離の間隙を挟んで開口６ａを有し、開口６ａの直下に車輪３の凹部３ｂが到来すると、開口６ａから肥料１００が凹部３ｂに落下し、肥料１００の落下は凹部３ｂが肥料１００で充填されるまで継続する。開口６ａの直下に車輪の凹部３ｂが到来していないときには、開口６ａの直下にある接地面ａによって肥料の落下が遮られ、肥料供給路６の開口６ａからの肥料１００の供給は抑制される。
【００２４】
肥料供給路６から車輪３の凹部３ｂに供給された肥料１００は、車輪３の回転に応じて次第に凹部３ｂから落下する。凹部３ｂから落下した肥料１００は、鋤板７によって地面２００に形成された溝内に散布される。
【００２５】
フレーム１の移動に応じて、進行方向について、車輪３の後方に設けられた覆土板８によって、鋤板７によって地面２００に形成された溝が覆土される。このとき、溝内に散布された肥料１００は覆土によって覆われ、地面２００の中に埋められる。
【００２６】
図３は、本実施の形態の追肥機１０の使用の態様を示す図である。圃場において、作業者は作物を植えた畝の間に沿って追肥機１０を手で押して進めることにより、容易に肥料１００を追肥することができる。
【００２７】
本実施の形態の追肥機１０においては、フレーム１を支持する車輪３が、接地面３ａに沿って周方向に断続的に凹部３ｂを形成することにより、肥料１００の供給の流れを断続的に制御するための回転トレイの役割も果たしている。したがって、本実施の形態においては、肥料の供給の流れを断続的に制御するための別段の機構を設ける必要がなく、人が手で押すような歩行型の追肥機において断続的な肥料の供給を実現することができる。
【産業上の利用可能性】
【００２８】
本発明は、圃場で植栽する作物に畝に沿って追肥する追肥機に利用することができる。
【符号の説明】
【００２９】
１  フレーム
２  車軸
３  車輪
３ａ  接地面
３ｂ  凹部
５  肥料格納容器
６  肥料供給路
７  鋤板
８  覆土板
９  ハンドル
【図１】
2019187327.tif 000003
【図２】
2019187327.tif 000004
【図３】
2019187327.tif 000005
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
本体と、
車軸を介して前記本体を支持する車輪と、
前記車軸に取り付けられたハンドルとを含み、
前記本体は、
前記車輪の前方に設けられた鋤板と、
前記車輪の後方に設けられた覆土板と、
前記車輪の上方に設けられた肥料格納容器と、
前記肥料格納容器から前記車輪の接地面の直上までの肥料供給路とを含み、
前記車輪には接地面に沿って複数の凹部が形成され、前記肥料供給路は前記接地面の直上で開口し、当該開口の直下にある前記凹部に肥料を供給するように構成され、
前記肥料供給路の開口は、当該開口の直下に前記凹部がないと肥料の供給を抑制するように構成された追肥機。
【請求項２】
前記肥料供給路の開口と前記接地面の間には、所定距離の間隙が設けられた請求項１に記載の追肥機。
【請求項３】
前記車輪は前記本体の移動に応じて回転し、前記肥料供給路は前記車輪の回転によって開口の直下に到来した前記凹部に肥料を供給するように構成された請求項１又は２に記載の追肥機。
【請求項４】
前記車輪は前記本体の移動に応じて回転し、前記凹部に供給された肥料は前記車輪の回転によって前記凹部から次第に落下する請求項３に記載の追肥機。
【請求項５】
前記本体の移動に応じて、前記鋤板は前記車輪の前方の地面に溝を形成し、前記凹部に供給された肥料は前記凹部から前記溝に落下し、前記覆土板は前記車輪の後方の地面の溝を覆土する請求項４に記載の追肥機。